(57)【要約】【課題】磁気を遮断する搬送箱を提供すること。【解決手段】箱部３は、底面７に、側面９ａ、９ｂ、９ｃ、９ｄが設けられてなり、上部は開口部１１となる。開口部１１より搬送物が入る。蓋部５は上面１５に側面１３ａ、１３ｂ、１３ｃ、１３ｄが設けられてなり、下部は開口部１７となる。箱部３に蓋部５が装着される。箱部３、蓋部５ともに、けい素鋼板、パーマロイ、アモルファス、またはナノ結晶材料等の軟磁性材料の磁気シールド材からなる。【選択図】  図２
2004165400.tif 000002
【特許請求の範囲】
【請求項１】
箱型の搬送箱であり、各面が軟磁性材料を有することを特徴とする搬送箱。
【請求項２】
前記軟磁性材料は、けい素鋼板、パーマロイまたはアモルファスであることを特徴とする請求項１記載の搬送箱。
【請求項３】
前記軟磁性材料は、ナノ結晶材料であることを特徴とする請求項１記載の搬送箱。
【請求項４】
上部に開口部を有する箱状の箱部と、
下部に開口部を有する箱状の蓋部と、からなり、
前記箱部に前記蓋部が装着されることを特徴とする請求項１記載の搬送箱。
【請求項５】
前記各面は、強度部材に前記軟磁性材料が設けられたものであることを特徴とする請求項１記載の搬送箱。
【請求項６】
前記強度部材は、骨組みまたは外装として用いられることを特徴とする請求項５記載の搬送箱。
【請求項７】
前記強度部材は、アルミニウムまたはステンレスであることを特徴とする請求項５記載の搬送箱。
【請求項８】
箱状の箱部に扉を有することを特徴とする請求項１記載の搬送箱。
【請求項９】
展開可能であることを特徴とする請求項１記載の搬送箱。
【発明の詳細な説明】
【０００１】
【発明の属する技術分野】
本発明は、磁気を帯びた搬送物を、航空機・列車・車・船などを利用して搬送する際に使用する搬送箱に関するものである。
【０００２】
【従来の技術】
近年、磁気を帯びた搬送物を航空機・列車・車・船などで搬送する場合、搬送物から発生する磁気がこれらの乗り物の計器に障害を起こすことが懸念されている（例えば、特許文献１参照）。特に航空機での搬送の場合に大きな関心事になりつつある。
【０００３】
【特許文献１】
特開平１０−１５０２８８
【０００４】
【発明が解決しようとする課題】
しかしながら、磁気を帯びた搬送物を航空機・列車・車・船などで運ぶ場合、その搬送物から発生する磁気を遮断する有効な手段がなかった。
【０００５】
本発明は、このような問題を鑑みてなされたもので、その目的とするところは、磁気を遮断する搬送箱を提供することにある。
【０００６】
【課題を解決するための手段】
前述した目的を達成するために本発明は、箱型の搬送箱であり、各面が軟磁性材料を有することを特徴とする搬送箱である。軟磁性材料は、けい素鋼板、パーマロイまたはアモルファス、ナノ結晶材料等である。搬送箱は、複数の軟磁性材料を組み合わせて製作してもよい。
搬送箱は、上部に開口部を有する箱状の箱部と、下部に開口部を有する箱状の蓋部とからなり、前記箱部に前記蓋部が装着される。搬送箱の各面は、強度部材に前記軟磁性材料が設けられたものでもよい。
強度部材は、骨組みまたは外装として用いられ、強度部材は、非磁性の、アルミニウムまたはステンレス等である。搬送箱は、箱状の箱部に扉を有してもよく、展開可能の場合もある。
【０００７】
【発明の実施の形態】
以下、図面に基づいて本発明の実施の形態を詳細に説明する。図１、図２は、第１の実施の形態に係る搬送箱１の斜視図であり、図３は搬送箱１の平面図、図４は、図３のＸ１−Ｘ２断面による搬送箱１の断面図である。
図１、図２に示すように搬送箱１は上部に開口部１１を持つ箱状の箱部３に、下部に開口部１７を持つ箱状の蓋部５を装着してなる。
【０００８】
箱部３は、底面７に、側面９ａ、９ｂ、９ｃ、９ｄが設けられてなり、上部は開口部１１となる。開口部１１より搬送物が入る。
蓋部５は上面１５に側面１３ａ、１３ｂ、１３ｃ、１３ｄが設けられてなり、下部は開口部１７となる。箱部３に蓋部５が装着される。箱部３、蓋部５ともに、けい素鋼板、パーマロイ、アモルファスまたはナノ結晶材料等の軟磁性材料の磁気シールド材からなる。ナノ結晶材料とは、ナノメートルスケールの超微細結晶組織からなるナノ結晶軟磁性合金であるファインメット（商品名）等である。
【０００９】
搬送箱１の大きさはダンボール箱程度から宝石箱程度である。搬送する搬送物は軽量の磁石などが想定される。
図４に示すように、側面９ａ、９ｂ、９ｃ、９ｄと側面１３ａ、１３ｂ、１３ｃ、１３ｄは、ほぼ密着状態となり、搬送箱１の内部に磁気を帯びた搬送物を入れても、搬送物から発生する磁気は、搬送箱１により遮断され、外部への磁気の漏洩を防ぐことができる。また、搬送箱１は、消磁処理が施された磁気を帯びていない搬送物を搬送する際に、地磁気や周辺機器から発生する磁場の影響を遮断するために用いてもよい。
【００１０】
ナノ結晶軟磁性材料は、高透磁率の性能をもつ磁気シールド材であり、けい素鋼板、パーマロイまたはアモルファス等の一般の軟磁性材料に比べ、薄い厚みで同等の性能が得られる。ナノ結晶材料を用いて形成した搬送箱１は、軽量で搬送しやすく、搬送費用が安価となる。
【００１１】
なお、搬送箱１は、１種類の材質で形成したものでなくてもよい。図５は、複数の材料からなる搬送箱１ａの断面図を示す。搬送箱１ａでは、側面９ａ、９ｂ、９ｃ、９ｄと側面１３ａ、１３ｂ、１３ｃ、１３ｄ、底面７、上面１５を、外側部材１８と内側部材１９からなる二重構造とする。外側部材１８は、例えば、けい素鋼板、パーマロイまたはアモルファス等からなり、内側部材１９は、ナノ結晶材料からなる。
【００１２】
次に第２の実施形態に係る搬送箱２１について説明する。この搬送箱２１は搬送箱１よりも重量のある搬送物を搬送する場合に適する。
図６は、搬送箱２１の斜視図、図７は搬送箱２１の側面図、図８は、搬送箱２１の骨組みを示す斜視図、図９は図７のＹ１−Ｙ２断面による断面図であり、図１０は搬送箱２１の平面図、図１１は図１０のＱ１−Ｑ２断面による断面図である。
図６、図７に示されるように、箱部２３は、側面にハンガー部２７ａ、２７ｂ、２７ｃを有し、箱部２３に蓋部２５を装着する。
【００１３】
図８に示されるように、底面を構成する水平アングル部材３３ａ、３３ｂ、３３ｃ、３３ｄに、垂直アングル部材３１ａ、３１ｂ、３１ｃ、３１ｄを溶接等の方法で設け、垂直アングル部材３１ａ、３１ｂ、３１ｃ、３１ｄの上部に水平部材３９ａ、３９ｂ、３９ｃ、３９ｄを設けて箱型の形状の骨組みを構成する。さらに、補助板３５ａ、３５ｂ、３５ｃ、３５ｄおよび３７ａ、３７ｂ、３７ｃ、３７ｄを垂直アングル部材３１ａ、３１ｂ、３１ｃ、３１ｄに設けて強度を高める。
【００１４】
図８に示す水平アングル部材３３ａ、３３ｂ、３３ｃ、３３ｄ等の各部材は、非磁性の性質をもつ、アルミニウムまたはステンレス等である。
図９に示されるよう、垂直アングル部材３１ａ、３１ｂ、３１ｃ、３１ｄに、磁気シールド部材４１ａ、４１ｂ、４１ｃ、４１ｄを設け、磁気シールド効果を連続させるためにコーナー部分には、磁気シールド部材４１ａ、４１ｂ、４１ｃ、４１ｄに磁気シールドアングル部材４３ａ、４３ｂ、４３ｃ、４３ｄを設ける。さらに磁気シールドアングル部材４３ａ、４３ｂ、４３ｃ、４３ｄの外側に強度部材４５ａ、４５ｂ、４５ｃ、４５ｄを外装として設ける。
【００１５】
磁気シールド部材４１ａ、４１ｂ、４１ｃ、４１ｄおよび磁気シールドアングル部材４３ａ、４３ｂ、４３ｃ、４３ｄの材質はけい素鋼板、パーマロイ、アモルファス、またはナノ結晶材料等の軟磁性材料である。強度部材４５ａ、４５ｂ、４５ｃ、４５ｄの材質は、非磁性の性質をもつ、アルミニウムまたはステンレス等である。
【００１６】
図１１に示すように、底部においては水平アングル部材３３ａ、３３ｂ、３３ｃ、３３ｄの下部に、磁気シールド底面部材４６を設け、その外側に底面強度部材４８を、強度部材４５ａ、４５ｂ、４５ｃ、４５ｄに設ける。底面部材４６の材質はけい素鋼板、パーマロイ、アモルファス、またはナノ結晶材料等の軟磁性材料である。底面強度部材４８の材質は、非磁性の性質をもつ、アルミニウムまたはステンレス等である。
【００１７】
図１２、図１３は、ハンガー部２７ａの取り付け部の拡大図であり、図１２は搬送箱２１の補助板３５ｂ、３７ｂにハンガー部２７ａを、ボルトによって取り付けた場合、図１３は溶接によって取り付けた場合を示している。図１２では外装の強度部材４５ｂと磁気シールド材４１ｂを貫通するハンガー部２７ａを、添え板４２に溶接等によって接合した後に、添え板４２を補助板３５ｂ、３７ｂにボルト４４で締着する。図１３では外装の強度部材４５ｂと磁気シールド材４１ｂを貫通するハンガー部２７ａを補助板３５ｂ、３７ｂに溶接部４６により、直接接合している。
【００１８】
図１４は蓋部２５の側面図であり、図１５は、図１４に示す蓋部２５を切断面Ｚ１−Ｚ２で切断した断面図である。
蓋部２５は、以下のように構成される。コーナー部材５５ａ、５５ｂ、５５ｃ、５５ｄの外側に、強度部材５７ａ、５７ｂ、５７ｃ、５７ｄを設ける。コーナー部材５５ａ、５５ｂ、５５ｃ、５５ｄの内側に、磁気シールドつなぎ部材５３ａ、５３ｂ、５３ｃ、５３ｄを設け、磁気シールドつなぎ部材５３ａ、５３ｂ、５３ｃ、５３ｄの内側に、磁気シールド部材５１ａ、５１ｂ、５１ｃ、５１ｄを設ける。
【００１９】
コーナー部材５５ａ、５５ｂ、５５ｃ、５５ｄ、強度部材５７ａ、５７ｂ、５７ｃ、５７ｄの材質は、非磁性の性質をもつ、アルミニウムまたはステンレス等である。磁気シールドつなぎ部材５３ａ、５３ｂ、５３ｃ、５３ｄ、磁気シールド部材５１ａ、５１ｂ、５１ｃ、５１ｄの材質は、けい素鋼板、パーマロイ、アモルファス、またはナノ結晶材料等の軟磁性材料である。
【００２０】
図１１に示すように、コーナー部材５５ａ、５５ｂ、５５ｃ、５５ｄ、磁気シールドつなぎ部材５３ａ、５３ｂ、５３ｃ、５３ｄ、磁気シールド部材５１ａ、５１ｂ、５１ｃ、５１ｄの上部に磁気シールド上面部材４４を設ける。さらに磁気シールド上面部材４４の上部に、蓋上面強度部材４２を強度部材５７ａ、５７ｂ、５７ｃ、５７ｄに設ける。磁気シールド上面部材４４の材質は、けい素鋼板、パーマロイ、アモルファス、またはナノ結晶材料等の軟磁性材料である。蓋上面強度部材４２の材質は、非磁性の性質をもつ、アルミニウムまたはステンレス等である。
【００２１】
搬送箱２１は、強度部材による骨組みと外装を持ち、これらによって構成される各面に、磁気シールド部材を連続して設け、搬送物を密閉することにより、搬送物から発生する磁気を遮断する。強度部材の材質は、非磁性の性質をもつ、アルミニウムまたはステンレス等であり、磁気シールド部材の材質はけい素鋼板、パーマロイ、アモルファス、またはナノ結晶材料等の軟磁性材料である。
搬送箱２１は、骨組みに取り付けたハンガーによってクレーンで吊り下げることも想定される、重量と大きさのある搬送物を搬送することが可能であり、搬送物としては、例えば医療用のＭＲＩ（Ｍａｇｎｅｔｉｃ  Ｒｅｓｏｎａｎｃｅ  Ｉｍａｇｉｎｇ）等がある。
【００２２】
図１６は、第３の実施の形態に係る搬送箱６１の斜視図である。搬送箱６１は、各面に、磁気シールド部材を連続して設け、さらに強度部材で補強される。磁気シールド部材の材質はけい素鋼板、パーマロイ、アモルファス、またはナノ結晶材料等の軟磁性材料であり、強度部材の材質は、非磁性の性質をもつ、アルミニウムまたはステンレス等である。箱部６３の側面に、両開きの扉６５ａ、６５ｂと、ハンガー部６７ａ、６７ｂ、６７ｃが設けられる。搬送箱６１では側面から搬送物を入れるのに適している。
【００２３】
図１７は、第４の実施の形態に係る搬送箱７１の斜視図である。搬送箱７１は、各面に、磁気シールド部材を連続して設け、さらに強度部材で補強される。磁気シールド部材の材質はけい素鋼板、パーマロイ、アモルファス、またはナノ結晶材料等の軟磁性材料であり、強度部材の材質は、非磁性の性質をもつ、アルミニウムまたはステンレス等である。箱部７３に片開きの扉７５と、ハンガー部７７ａ、７７ｂ、７７ｃが設けられる。搬送箱７１は搬送箱６１と同様に箱の側面から搬送物を入れるのに適している。
【００２４】
図１８は、第５の実施の形態に係る搬送箱８１の斜視図である。搬送箱８１は、各面に、磁気シールド部材を連続して設け、さらに強度部材で補強される。磁気シールド部材の材質はけい素鋼板、パーマロイ、アモルファス、またはナノ結晶材料等の軟磁性材料であり、強度部材の材質は、非磁性の性質をもつ、アルミニウムまたはステンレス等である。搬送箱８１では、底面８３、側面８５ａ、８５ｂ、８５ｃ、８５ｄおよび上面８は、ヒンジ等で接合され、折り畳んで収納または搬送することができる。
【００２５】
尚、本発明はかかる例に限定されない。当業者であれば、特許請求の範囲に記載された技術的思想の範疇内において各種の変更例または修正例に想到し得ることは明らかであり、それらについても当然に本発明の技術的範囲に属するものと了解される。
【００２６】
【発明の効果】
以上、詳細に説明したように本発明によれば、磁気を遮断する搬送箱を提供することができる。
【図面の簡単な説明】
【図１】搬送箱１の斜視図
【図２】搬送箱１の蓋部５を持ち上げた図
【図３】搬送箱１の平面図
【図４】図３のＸ１−Ｘ２による断面図
【図５】複数の材料からなる搬送箱１ａの断面図
【図６】搬送箱２１の斜視図
【図７】搬送箱２１の側面図
【図８】搬送箱２１の骨組みを示す斜視図
【図９】図６のＹ１−Ｙ２による断面図
【図１０】搬送箱２１の平面図
【図１１】図１０のＱ１−Ｑ２による断面図
【図１２】補助板３５ｂ、補助板３７ｂとハンガー部２７ａとの取り付け部の拡大図
【図１３】補助板３５ｂ、補助板３７ｂとハンガー部２７ａとの取り付け部の拡大図
【図１４】蓋部２５の側面図
【図１５】蓋部２５のＺ１−Ｚ２による断面図
【図１６】搬送箱６１の斜視図
【図１７】搬送箱７１の斜視図
【図１８】搬送箱８１の斜視図
【符号の説明】
１………搬送箱
３………箱部
５………蓋部
７………底面
９ａ、９ｂ、９ｃ、９ｄ………側面
１１………開口部
１３ａ、１３ｂ、１３ｃ、１３ｄ………側面
１５………上面
１７………開口部
１８………外側部材
１９………内側部材
２１………搬送箱
２３………箱部
２５………蓋部
３１ａ、３１ｂ、３１ｃ、３１ｄ………垂直アングル部材
３３ａ、３３ｂ、３３ｃ、３３ｄ………水平アングル部材
３５ａ、３５ｂ、３５ｃ、３５ｄ………補助板
３７ａ、３７ｂ、３７ｃ、３７ｄ………補助板
３９ａ、３９ｂ、３９ｃ、３９ｄ………水平部材
４１ａ、４１ｂ、４１ｃ、４１ｄ………磁気シールド部材
４２………蓋上面強度部材
４３ａ、４３ｂ、４３ｃ、４３ｄ………磁気シールドアングル部材
４４………磁気シールド上面部材
４５ａ、４５ｂ、４５ｃ、４５ｄ………強度部材
４６………磁気シールド底面部材
４８………箱部底面強度部材
５１ａ、５１ｂ、５１ｃ、５１ｄ………磁気シールド部材
５３ａ、５３ｂ、５３ｃ、５３ｄ………磁気シールドつなぎ部材
５５ａ、５５ｂ、５５ｃ、５５ｄ………コーナー部材
５７ａ、５７ｂ、５７ｃ、５７ｄ………強度部材
６１………搬送箱
６５ａ、６５ｂ………扉
７１………搬送箱
７５………扉
８１………搬送箱
【図１】
2004165400.tif 000003
【図２】
2004165400.tif 000004
【図３】
2004165400.tif 000005
【図４】
2004165400.tif 000006
【図５】
2004165400.tif 000007
【図６】
2004165400.tif 000008
【図７】
2004165400.tif 000009
【図８】
2004165400.tif 000010
【図９】
2004165400.tif 000011
【図１０】
2004165400.tif 000012
【図１１】
2004165400.tif 000013
【図１２】
2004165400.tif 000014
【図１３】
2004165400.tif 000015
【図１４】
2004165400.tif 000016
【図１５】
2004165400.tif 000017
【図１６】
2004165400.tif 000018
【図１７】
2004165400.tif 000019
【図１８】
2004165400.tif 000020